(57)【要約】【課題】紙葉類束を受け入れる紙葉類処理装置について、不適切な紙葉類束の受入を防止する。【解決手段】紙葉類束を受け入れる紙葉類処理装置１は、紙葉類束内の紙葉類枚数を束状態のままで計数する計数装置２と、共通のネットワーク３に接続されている。計数装置２は、計数処理を行い、計数結果に関する情報である計数情報を送信する機能を有する。紙葉類処理装置１は、紙葉類束の受入処理において、受入予定の紙葉類束の計数情報を受信する。【選択図】図２
2018085025.tif 000002
【特許請求の範囲】
【請求項１】
紙葉類束を受け入れる紙葉類処理装置と、
紙葉類束内の紙葉類枚数を束状態のままで計数する計数装置とを備え、
前記紙葉類処理装置および前記計数装置は、共通のネットワークに接続されており、
前記計数装置は、計数処理を行い、計数結果に関する情報である計数情報を、前記ネットワークに送信する機能を有し、
前記紙葉類処理装置は、紙葉類束の受入処理において、
前記ネットワークを介して、受入予定の紙葉類束の前記計数情報を受信する
紙葉類処理システム。
【請求項２】
請求項１記載の紙葉類処理システムにおいて、
前記計数情報は、計数を行った旨、計数結果を示すデータ、および、計数結果が所定条件を満たすか否かを示す照合信号、のうち少なくともいずれか１つを含む
ことを特徴とする紙葉類処理システム。
【請求項３】
請求項１記載の紙葉類処理システムにおいて、
前記紙葉類処理装置は、前記計数情報を受信したことを条件として、紙葉類束の受入を可能とする
ことを特徴とする紙葉類処理システム。
【請求項４】
請求項１記載の紙葉類処理システムにおいて、
前記計数情報は、計数結果が所定条件を満たすときはＯＫ、満たさないときはＮＧを示す照合信号を含み、
前記紙葉類処理装置は、前記照合信号がＯＫを示すとき、紙葉類束の受入を可能とする
ことを特徴とする紙葉類処理システム。
【請求項５】
請求項４記載の紙葉類処理システムにおいて、
前記計数装置は、計数結果である紙葉類枚数が、一束当たりの規定枚数の整数倍であるか否かを判定し、整数倍でないとき、ＮＧを示す信号を前記照合信号として生成する
ことを特徴とする紙葉類処理システム。
【請求項６】
請求項４記載の紙葉類処理システムにおいて、
前記紙葉類処理装置は、受入予定の紙葉類束に関する情報である束情報を取得して前記計数装置へ送信し、
前記計数装置は、前記束情報を受信し、計数結果が、前記束情報が示す内容と一致するか否かを判定し、一致しないとき、ＮＧを示す信号を前記照合信号として生成する
ことを特徴とする紙葉類処理システム。
【請求項７】
請求項１記載の紙葉類処理システムにおいて、
前記紙葉類処理装置は、前記計数情報が示す計数結果が、受入予定の紙葉類束に関する情報である束情報と一致するか否かを判定し、一致するとき、当該紙葉類束の受入を可能とする
ことを特徴とする紙葉類処理システム。
【請求項８】
請求項３〜７のうちいずれか１項記載の紙葉類処理システムにおいて、
前記紙葉類処理装置は、紙葉類束の受入を可能としないとき、警告を出力する
ことを特徴とする紙葉類処理システム。
【請求項９】
紙葉類束を受け入れる紙葉類処理装置と、
紙葉類束内の紙葉類枚数を束状態のままで計数する計数装置とを備え、
前記紙葉類処理装置および前記計数装置は、共通のネットワークに接続されており、
前記計数装置は、前記紙葉類処理装置に受入予定の紙葉類束の計数を指示する連携計数指示を、前記ネットワークを介して受信し、計数処理を行い、計数結果に関する情報である計数情報を、前記ネットワークに送信する機能を有し、
前記紙葉類処理装置は、紙葉類束の受入処理において、
紙葉類束を受け入れる前に、前記連携計数指示を、前記ネットワークに送信し、
前記ネットワークを介して、前記計数情報を受信する
紙葉類処理システム。
【請求項１０】
紙葉類束を受け入れる紙葉類処理装置であって、
通信インターフェース部と、
当該紙葉類処理装置の動作を制御する制御部とを備え、
前記制御部は、紙葉類束の受入処理において、
前記通信インターフェース部を介して、紙葉類束内の紙葉類枚数を束状態のままで計数する計数装置による、受入予定の紙葉類束の計数結果に関する情報である計数情報を受信する
ことを特徴とする紙葉類処理装置。
【請求項１１】
請求項１０記載の紙葉類処理装置において、
前記制御部は、紙葉類束の受入処理において、
紙葉類束を受け入れる前に、受入予定の紙葉類束の計数を前記計数装置に対して指示する連携計数指示を、前記通信インターフェース部を介して送信する
ことを特徴とする紙葉類処理装置。
【請求項１２】
請求項１０記載の紙葉類処理装置において、
前記制御部は、前記計数情報を受信したことを条件として、紙葉類束の受入を可能とする
ことを特徴とする紙葉類処理装置。
【請求項１３】
請求項１０記載の紙葉類処理装置において、
前記計数情報は、計数結果が所定条件を満たすときはＯＫ、満たさないときはＮＧを示す照合信号を含み、
前記制御部は、前記照合信号がＯＫを示すとき、紙葉類束の受入を可能とする
ことを特徴とする紙葉類処理装置。
【請求項１４】
請求項１０記載の紙葉類処理装置において、
前記制御部は、前記計数情報が示す計数結果が、受入予定の紙葉類束に関する情報である束情報と一致するか否かを判定し、一致するとき、当該紙葉類束の受入を可能とする
ことを特徴とする紙葉類処理装置。
【請求項１５】
紙葉類束を受け入れる紙葉類処理装置であって、
紙葉類束内の紙葉類枚数を束状態のままで計数する計数部と、
当該紙葉類処理装置の動作を制御する制御部とを備え、
前記制御部は、紙葉類束の受入処理において、
前記計数部から、受入予定の紙葉類束の計数結果に関する情報である計数情報を受信する
ことを特徴とする紙葉類処理装置。
【請求項１６】
紙葉類束を受け入れる紙葉類処理装置と、紙葉類束内の紙葉類枚数を束状態のままで計数する計数装置とを備えた紙葉類処理システムにおいて、前記紙葉類処理装置への紙葉類束の受入を行う方法であって、
前記紙葉類処理装置および前記計数装置は、共通のネットワークに接続されており、
前記計数装置が、前記紙葉類処理装置に受入予定の紙葉類束の計数処理を行い、計数結果に関する情報である計数情報を前記ネットワークに送信し、
前記紙葉類処理装置が、紙葉類の受入処理において、前記ネットワークを介して、前記計数情報を受信する
紙葉類受入方法。
【発明の詳細な説明】
【技術分野】
【０００１】
ここに開示する技術は、紙葉類束を処理する紙葉類処理システムおよび紙葉類処理装置に関する。
【背景技術】
【０００２】
従来、金融機関等で使用される現金出納機として、所定枚数（例えば１００枚）のバラ紙幣を帯封した帯封紙幣を払い出す紙葉類処理システムがある。
【０００３】
特許文献１には、金融機関の店舗に設置されて店舗全体の貨幣処理を管理する出納機が開示されている。この出納機は、紙幣についての入出金処理等を行う紙幣処理装置を備えている。この紙幣処理装置は、バラ紙幣の入出金処理、束紙幣の出金処理、および、バラ紙幣を束紙幣にする結束処理が可能なように構成されている。また、束出金口に投入された束紙幣を束収納部に収納する「小束補充処理」も実行可能である。
【先行技術文献】
【特許文献】
【０００４】
【特許文献１】特開２０１４−０８１６７８号公報（段落［０１０２］−［０１１０］）
【発明の概要】
【発明が解決しようとする課題】
【０００５】
特許文献１に開示された「小束補充処理」では、束出金口に投入された束紙幣が不適切なものである場合、例えば紙幣枚数の過不足や異金種混入がある場合、これを紙幣処理装置において検出することができない。これにより、機内在高が実物と一致せず、異常になってしまう。また、不適切な束紙幣をそのまま出金してしまうと、客とのトラブルが起こる。また、束紙幣が不適切なものになる原因としては、不正行為（抜き取り）や操作ミスなどが考えられるが、不適切な束紙幣の発見が遅くなると、その原因追及が困難になる。
【０００６】
ここに開示する技術は、かかる点に鑑みてなされたものであり、紙葉類束を受け入れる紙葉類処理装置について、不適切な紙葉類束の受入を未然に防止することを目的とする。
【課題を解決するための手段】
【０００７】
ここに開示する技術は、紙葉類処理システムであって、紙葉類束を受け入れる紙葉類処理装置と、紙葉類束内の紙葉類枚数を束状態のままで計数する計数装置とを備え、前記紙葉類処理装置および前記計数装置は、共通のネットワークに接続されており、前記計数装置は、計数処理を行い、計数結果に関する情報である計数情報を、前記ネットワークに送信する機能を有し、前記紙葉類処理装置は、紙葉類束の受入処理において、前記ネットワークを介して、受入予定の紙葉類束の前記計数情報を受信する。
【０００８】
この構成によると、紙葉類束を受け入れる紙葉類処理装置は、紙葉類束内の紙葉類枚数を束状態のままで計数する計数装置と、共通のネットワークに接続されている。計数装置は、計数処理を行い、計数結果に関する情報である計数情報を送信する機能を有している。そして紙葉類処理装置は、紙葉類束の受入処理において、受入予定の紙葉類束の計数情報を受信する。これにより、紙葉類処理装置は、紙葉類束の受入を行う際に、計数装置による当該紙葉類束の計数結果を得ることができる。したがって、不適切な紙葉類束の受け入れを未然に防止できる。
【０００９】
そして、上述の紙葉類処理システムにおいて、前記計数情報は、計数を行った旨、計数結果を示すデータ、および、計数結果が所定条件を満たすか否かを示す照合信号、のうち少なくともいずれか１つを含む、としてもよい。
【００１０】
これにより、紙葉類処理装置は、紙葉類束の受入を行う際に、当該紙葉類束の計数を行ったこと、当該紙葉類束の計数結果、および、当該紙葉類束の計数結果が所定条件を満たすか否か、の少なくともいずれか１つについて、認識することができる。
【００１１】
また、上述の紙葉類処理システムにおいて、前記紙葉類処理装置は、前記計数情報を受信したことを条件として、紙葉類束の受入を可能とする、としてもよい。
【００１２】
これにより、紙葉類処理装置は、計数情報を受信しないと、紙葉類束の受け入れができないので、不適切な紙葉類束の受け入れを確実に防止できる。
【００１３】
また、上述の紙葉類処理システムにおいて、前記計数情報は、計数結果が所定条件を満たすときはＯＫ、満たさないときはＮＧを示す照合信号を含み、前記紙葉類処理装置は、前記照合信号がＯＫを示すとき、紙葉類束の受入を可能とする、としてもよい。
【００１４】
これにより、計数装置は、計数結果が所定条件を満たすときはＯＫ、満たさないときはＮＧを示す照合信号を、計数情報に含めて送信する。紙葉類処理装置は、照合信号がＮＧを示すとき、紙葉類束の受け入れができないので、不適切な紙葉類束の受け入れを確実に防止できる。
【００１５】
また、前記計数装置は、計数結果である紙葉類枚数が、一束当たりの規定枚数の整数倍であるか否かを判定し、整数倍でないとき、ＮＧを示す信号を前記照合信号として生成する、としてもよい。
【００１６】
これにより、紙葉類束の紙葉類枚数が一束当たりの規定枚数の整数倍でないとき、紙葉類処理装置は、紙葉類束の受け入れができないので、枚数不足等の不適切な紙葉類束の受け入れを確実に防止できる。
【００１７】
また、前記紙葉類処理装置は、受入予定の紙葉類束に関する情報である束情報を取得して前記計数装置へ送信し、前記計数装置は、前記束情報を受信し、計数結果が、前記束情報が示す内容と一致するか否かを判定し、一致しないとき、ＮＧを示す信号を前記照合信号として生成する、としてもよい。
【００１８】
これにより、計数結果が、受入予定の紙葉類束に関する情報である束情報が示す内容と一致しないとき、紙葉類処理装置は、紙葉類束の受け入れができないので、異種混入等の不適切な紙葉類束の受け入れを確実に防止できる。
【００１９】
また、上述の紙葉類処理システムにおいて、前記紙葉類処理装置は、前記計数情報が示す計数結果が、受入予定の紙葉類束に関する情報である束情報と一致するか否かを判定し、一致するとき、当該紙葉類束の受入を可能とする、としてもよい。
【００２０】
これにより、計数結果が、受入予定の紙葉類束に関する情報である束情報が示す内容と一致しないとき、紙葉類処理装置は、紙葉類束の受け入れができないので、異種混入等の不適切な紙葉類束の受け入れを確実に防止できる。
【００２１】
また、上述の紙葉類処理システムにおいて、前記紙葉類処理装置は、紙葉類束の受入を可能としないとき、警告を出力する、としてもよい。
【００２２】
これにより、紙葉類処理装置が、紙葉類束の受け入れをできないとき、警告が出力される。
【００２３】
また、ここに開示する技術は、紙葉類処理システムであって、紙葉類束を受け入れる紙葉類処理装置と、紙葉類束内の紙葉類枚数を束状態のままで計数する計数装置とを備え、前記紙葉類処理装置および前記計数装置は、共通のネットワークに接続されており、前記計数装置は、前記紙葉類処理装置に受入予定の紙葉類束の計数を指示する連携計数指示を、前記ネットワークを介して受信し、計数処理を行い、計数結果に関する情報である計数情報を、前記ネットワークに送信する機能を有し、前記紙葉類処理装置は、紙葉類束の受入処理において、紙葉類束を受け入れる前に、前記連携計数指示を、前記ネットワークに送信し、前記ネットワークを介して、前記計数情報を受信する。
【００２４】
この構成によると、紙葉類束を受け入れる紙葉類処理装置は、紙葉類束内の紙葉類枚数を束状態のままで計数する計数装置と、共通のネットワークに接続されている。計数装置は、紙葉類処理装置に受入予定の紙葉類束の計数を指示する連携計数指示を受信し、計数処理を行い、計数結果に関する情報である計数情報を送信する機能を有している。そして紙葉類処理装置は、紙葉類束の受入処理において、紙葉類束を受け入れる前に、連携計数指示を送信し、計数情報を受信する。これにより、紙葉類処理装置は、紙葉類束の受入を行う前に、計数装置による当該紙葉類束の計数結果を得ることができる。したがって、不適切な紙葉類束の受け入れを未然に防止できる。
【００２５】
また、ここに開示する技術は、紙葉類束を受け入れる紙葉類処理装置であって、通信インターフェース部と、当該紙葉類処理装置の動作を制御する制御部とを備え、前記制御部は、紙葉類束の受入処理において、前記通信インターフェース部を介して、紙葉類束内の紙葉類枚数を束状態のままで計数する計数装置による、受入予定の紙葉類束の計数結果に関する情報である計数情報を受信するものである。
【００２６】
この構成によると、紙葉類束を受け入れる紙葉類処理装置において、制御部は、紙葉類束の受入処理において、通信インターフェース部を介して、計数装置による、受入予定の紙葉類束の計数結果に関する情報である計数情報を受信する。これにより、紙葉類処理装置は、紙葉類束の受入を行う際に、計数装置による当該紙葉類束の計数結果を得ることができる。したがって、不適切な紙葉類束の受け入れを未然に防止できる。
【００２７】
そして、上述の紙葉類処理装置において、前記制御部は、紙葉類束の受入処理において、紙葉類束を受け入れる前に、受入予定の紙葉類束の計数を前記計数装置に対して指示する連携計数指示を、前記通信インターフェース部を介して送信する、としてもよい。
【００２８】
これにより、紙葉類処理装置は、紙葉類束の受入を行う前に、計数装置による当該紙葉類束の計数結果を得ることができる。
【００２９】
また、上述の紙葉類処理装置において、前記制御部は、前記計数情報を受信したことを条件として、紙葉類束の受入を可能とする、としてもよい。
【００３０】
これにより、紙葉類処理装置は、計数情報を受信しないと、紙葉類束の受け入れができないので、不適切な紙葉類束の受け入れを確実に防止できる。
【００３１】
また、上述の紙葉類処理装置において、前記計数情報は、計数結果が所定条件を満たすときはＯＫ、満たさないときはＮＧを示す照合信号を含み、前記制御部は、前記照合信号がＯＫを示すとき、紙葉類束の受入を可能とする、としてもよい。
【００３２】
これにより、計数情報は、計数結果が所定条件を満たすときはＯＫ、満たさないときはＮＧを示す照合信号を含み、紙葉類処理装置は、照合信号がＮＧを示すとき、紙葉類束の受け入れができないので、不適切な紙葉類束の受け入れを確実に防止できる。
【００３３】
また、上述の紙葉類処理装置において、前記制御部は、前記計数情報が示す計数結果が、受入予定の紙葉類束に関する情報である束情報と一致するか否かを判定し、一致するとき、当該紙葉類束の受入を可能とする、としてもよい。
【００３４】
これにより、計数結果が、受入予定の紙葉類束に関する情報である束情報が示す内容と一致しないとき、紙葉類処理装置は、紙葉類束の受け入れができないので、異種混入等の不適切な紙葉類束の受け入れを確実に防止できる。
【００３５】
また、ここに開示する技術は、紙葉類束を受け入れる紙葉類処理装置であって、紙葉類束内の紙葉類枚数を束状態のままで計数する計数部と、当該紙葉類処理装置の動作を制御する制御部とを備え、前記制御部は、紙葉類束の受入処理において、前記計数部から、受入予定の紙葉類束の計数結果に関する情報である計数情報を受信する。
【００３６】
この構成によると、紙葉類束を受け入れる紙葉類処理装置は、紙葉類束内の紙葉類枚数を束状態のままで計数する計数部を備えている。制御部は、紙葉類束の受入処理において、受入予定の紙葉類束の計数結果に関する情報である計数情報を受信する。これにより、紙葉類処理装置は、紙葉類束の受入を行う際に、計数部による当該紙葉類束の計数結果を得ることができる。したがって、不適切な紙葉類束の受け入れを未然に防止できる。
【００３７】
また、ここに開示する技術は、紙葉類束を受け入れる紙葉類処理装置と、紙葉類束内の紙葉類枚数を束状態のままで計数する計数装置とを備えた紙葉類処理システムにおいて、前記紙葉類処理装置への紙葉類束の受入を行う方法であって、前記紙葉類処理装置および前記計数装置は、共通のネットワークに接続されており、前記計数装置が、前記紙葉類処理装置に受入予定の紙葉類束の計数処理を行い、計数結果に関する情報である計数情報を前記ネットワークに送信し、前記紙葉類処理装置が、紙葉類の受入処理において、前記ネットワークを介して、前記計数情報を受信する。
【００３８】
この構成によると、紙葉類束を受け入れる紙葉類処理装置は、紙葉類束内の紙葉類枚数を束状態のままで計数する計数装置と、共通のネットワークに接続されている。計数装置が、紙葉類処理装置に受入予定の紙葉類束の計数処理を行い、計数結果に関する情報である計数情報を送信し、紙葉類処理装置が、計数情報を受信する。これにより、紙葉類処理装置は、紙葉類束の受入を行う際に、計数装置による当該紙葉類束の計数結果を得ることができる。したがって、不適切な紙葉類束の受け入れを未然に防止できる。
【発明の効果】
【００３９】
本開示によると、紙葉類処理装置は、紙葉類束の受入を行う際に、計数装置による当該紙葉類束の計数結果を得ることができるので、不適切な紙葉類束の受け入れを防止することができる。
【図面の簡単な説明】
【００４０】
【図１】第１実施形態に係る貨幣処理システムの全体構成図
【図２】図１の構成における貨幣処理装置の機能構成の概略を示すブロック図
【図３】紙幣束の装填処理を示すフローチャート
【図４】紙幣計数機の動作を示すフローチャート
【図５】（ａ）〜（ｃ）は貨幣処理装置の画面例
【図６】（ａ），（ｂ）は貨幣処理装置の画面例
【図７】（ａ），（ｂ）は装填処理後に出力されるレシートの例
【図８】第２実施形態に係る貨幣処理システムの全体構成例
【図９】紙幣束の収納処理を示すフローチャート
【図１０】紙幣束の取り出し処理を示すフローチャート
【図１１】貨幣処理装置と紙幣計数機を一体化した構成例
【図１２】紙幣束を受け入れる処理装置が複数台接続された貨幣処理システムの全体構成例
【発明を実施するための形態】
【００４１】
以下、実施形態について、図面に基づいて詳細に説明する。以下で説明する貨幣処理システムは、本開示における紙葉類処理システムの一例であり、例えば銀行等の金融機関に設置される。なお、本開示における紙葉類処理システムは、金融機関に設置する以外の用途にも用いることが可能である。
【００４２】
（第１実施形態）
＜全体構成＞
図１は第１実施形態に係る貨幣処理システムの全体構成を示す図である。図１の構成では、例えば金融機関の後方スペースに設置された貨幣処理装置（出納機）１と、紙幣束を束のまま計数する紙幣計数機２とが、ネットワーク３に接続されている。ネットワーク３には管理コンピュータ５が接続されており、この管理コンピュータ５が貨幣処理装置１や紙幣計数機２等による貨幣処理全般を管理している。管理コンピュータ５は、例えば管理責任者が有するタブレット６Ａやスマートフォン６Ｂ等の携帯端末と通信可能になっている。貨幣処理装置１は、本開示における紙葉類処理装置の一例である。
【００４３】
貨幣処理装置１はここでは、左右に並ぶよう配置された紙幣処理機１０および硬貨処理機１１０を備える。紙幣処理機１０は、バラ紙幣の入出金処理を実行可能であり、また、帯封紙幣の作成や帯封紙幣の出金処理を実行可能である。また、帯封紙幣払出部４８から、帯封紙幣を貨幣処理装置１に装填することができる。帯封紙幣は、所定枚数（例えば１００枚）のバラ紙幣を帯封して作成される。硬貨処理機１１０は、バラ硬貨の入出金処理を実行可能であり、また、包装硬貨の作成や包装硬貨の出金処理を実行可能である。包装硬貨は、所定枚数（例えば５０枚）のバラ硬貨に紙やフィルム等の包装媒体を巻くことによって作成される。
【００４４】
操作表示部３０２および印字部３０４は、ここでは硬貨処理機１１０の筐体上部に設けられている。操作表示部３０２は例えばタッチパネル等から構成されており、貨幣処理装置１における紙幣や硬貨の処理状況や、貨幣処理装置１に収納されている紙幣や硬貨の在高等の情報を表示する。また、操作者は操作表示部３０２を介して、貨幣処理装置１に対して様々な操作を行うことができる。印字部３０４は例えばプリンタ等から構成されており、貨幣処理装置１における紙幣や硬貨の処理状況や、貨幣処理装置１に収納されている紙幣や硬貨の在高等の情報をレシート等に印刷する。また、図示は省略するが、操作者のＩＤカードを読み取るためのカードリーダが設けられている。
【００４５】
紙幣計数機２は、紙幣束内の紙幣枚数を束状態のままで計数する計数部２１と、操作表示部２２とを備えている。また紙幣計数機２は、紙幣のイメージ識別機能を有しており、紙幣束の金種をチェックすることができる。また、ここでは紙幣計数機２はネットワーク３に接続されているが、単体として使用することも可能である。紙幣計数機２は、本開示における計数装置の一例である。
【００４６】
図２は貨幣処理装置１の機能構成の概略を示すブロック図である。図２では本実施形態に関わる構成要素を主に示しており、その他の構成要素は適宜省略している。図２に示すように、貨幣処理装置１には、各構成要素の制御を行う制御部３００が設けられている。制御部３００は、紙幣処理機１０および硬貨処理機１１０の各構成要素に指令信号を送ることにより、その動作を制御する。例えば、紙幣束の装填処理において、帯封紙幣搬送部１１、帯封紙幣収納部１２、帯封紙幣識別部１３、および、帯封紙幣払出部４８の払出口に設けられたシャッターの開閉を駆動するシャッター駆動部１４の動作を、制御部３００は制御する。また、制御部３００には、操作表示部３０２、入力部３０３，印字部３０４、通信インターフェース部３０６、および、記憶部３１０がそれぞれ接続されている。なお、操作表示部３０２はここではタッチパネル等によって構成されているが、貨幣処理装置１の操作を行うための操作部と、画面等を有する表示部とが分離して構成されていてもよい。入力部３０３は操作者を特定する操作者情報を受けるものであり、ここではＩＤカードから操作者ＩＤを読み取るためのカードリーダである。なお、入力部３０３はカードリーダ以外に、例えば操作者の指紋や顔画像を取得して個人認証を行う手段であってもよいし、例えばログインＩＤを手入力する構成の場合には、操作部が入力部３０３に相当する。記憶部３１０は、貨幣処理装置１における処理履歴や、貨幣処理装置１に収納されている紙幣や硬貨の在高等の情報を記憶する。また、制御部３００は通信インターフェース部３０６を介して金融機関内のネットワーク３に接続されており、紙幣計数機２や管理コンピュータ５等の外部装置に対して様々な信号の送受信を行うことができる。
【００４７】
制御部３００の機能の一部または全部は、ハードウェアまたはソフトウェアによって実現される。例えば、貨幣処理装置１内に設けられた制御基板上に構成された回路や、記録されたプログラムを実行するマイクロコンピュータ等によって、制御部３００は実現可能である。また、制御部３００は、貨幣処理装置１内の他の制御部と別個に構成されてもよいし、一体に構成されてもかまわない。
【００４８】
本実施形態では、紙幣計数機２は、貨幣処理装置１に装填される予定の紙幣束の計数を指示する連携計数指示を、ネットワーク３を介して受信し、計数処理を行い、計数結果に関する情報である計数情報を、ネットワーク３に送信する機能を有している。そして、貨幣処理装置１は、紙幣束の装填処理において、紙幣束が装填される前に、連携計数指示をネットワーク３に送信し、ネットワーク３を介して、計数情報を受信する。紙幣束の装填処理は、本開示における紙葉類の受入処理の一例である。
【００４９】
＜装填処理＞
図３は図１の貨幣処理システムにおける貨幣処理装置１に紙幣束を装填する処理の流れを示すフローチャートであり、図４は紙幣計数機２の動作を示すフローチャートである。また、図５（ａ）〜（ｃ）および図６（ａ）〜（ｂ）は操作表示部３０２に表示される画面例である。
【００５０】
まず、操作者は、貨幣処理装置１にログインする（Ｓ１０１）。例えば、カードリーダによってＩＤカードを読み取らせてＩＤ認証を受ける。そして、操作者は、操作表示部３０２を介して、貨幣処理装置１に対して行う操作を操作メニューの中から選択する（Ｓ１０２）。ここでは、操作者は、貨幣処理装置４に紙幣束を束のまま装填する操作である『束のまま装填』を選択するものとする（Ｓ１０３でＹＥＳ）。例えば図５（ａ）の画面において、操作者は操作ボタンＡ１にタッチする。なお、他の操作を選択した場合は（Ｓ１０３でＮＯ）、それぞれの処理が実行される（Ｓ１１１）。
【００５１】
『束のまま装填』を選択した操作者は、次に、装填情報を入力する（Ｓ１０４）。ここでは、装填情報は、装填される予定の紙幣束に関する情報である束情報を含むものとする。束情報とは例えば、紙幣束の金種や束数等である。その後、例えば図５（ｂ）の画面が表示され、操作者が確認ボタンＡ２にタッチすると、貨幣処理装置１は、装填される予定の紙幣束の計数を紙幣計数機２に対して指示する『連携計数指示』をネットワーク３に送信する（Ｓ１０５）。ここでは、『連携計数指示』とともに、操作者によって入力された装填情報が送信される。
【００５２】
紙幣計数機２は、図４に示すように、ネットワーク３から『連携計数指示』を受信すると（Ｓ２０２でＹＥＳ）、計数処理を開始する（Ｓ２０３）。なお、待機中に操作表示部２２を介して『単体計数指示』が入力されたときは（Ｓ２０１でＹＥＳ）、紙幣計数機２は単体で計数処理を実行する（Ｓ２０６）。操作者は、装填する予定の紙幣束を紙幣計数機２にセットし、紙幣計数機２に計数を実行させる（Ｓ２０３）。紙幣計数機２は計数処理の実行によって計数結果を得て、これを基にして、計数結果が所定条件を満たすか否かを示す照合信号を生成する（Ｓ２０４）。具体的には例えば、紙幣計数機２は、紙幣束の紙幣枚数が一束当たりの規定枚数（例えば１００枚）の整数倍であるか否かをチェックする。あるいは、計数結果が、連携計数指示とともに受信された束情報と一致するか否かをチェックする。例えば、計数した束数が受信された束数と一致するか否か、検出した金種が受信された金種と一致するか否か、等をチェックする。そして、これらの結果から、問題がなければ照合信号としてＯＫを設定し、問題があれば照合信号としてＮＧを設定する。そして、紙幣計数機２は、計数を行った旨、計数結果を示すデータ、および照合信号を含む『計数情報』をネットワーク３に送信する（Ｓ２０５）。
【００５３】
図３に戻り、貨幣処理装置１は、『計数情報』をネットワーク３から受信する（Ｓ１０６）。そして、『計数情報』に含まれた照合信号がＯＫであるときは（Ｓ１０７でＯＫ）、紙幣束の装填処理を開始する（Ｓ１０８）。シャッター駆動部１４が帯封紙幣払出部４８の払出口に設けられたシャッターを開け、操作表示部３０２に例えば図５（ｃ）の画面が表示され、操作者は紙幣束（紙幣計数機２によって計数された紙幣束）を帯封紙幣払出部４８から投入する。貨幣処理装置１は、投入された紙幣束を取り込んで識別し、帯封紙幣収納部１２へ収納する。そして、識別結果が、先に入力された装填情報に合致するか否かをチェックする（Ｓ１０９）。そして、合致しているときは（Ｓ１０９でＹＥＳ）、装填処理に関するレシートを発行し（Ｓ１１０）、処理を終了する。一方、合致していないときは（Ｓ１０９でＮＯ）、警告を出力する（Ｓ１１５）。例えば図６（ａ）のような警告メッセージを画面に表示する。そして、投入された紙幣束を投出したり不足する紙幣束を追加投入する等の対応処理を行う（Ｓ１１６）。なおこのとき、紙幣束をそのまま装填できるようにしてもよい。例えば図６（ａ）の画面において、強制入金ボタンＡ３をタッチしたとき、紙幣束の装填を許可するようにしてもよい。ただし、この場合には、責任者の承認を得るようにするのが好ましい。
【００５４】
一方、『計数情報』に含まれた照合信号がＮＧであるときは（Ｓ１０７でＮＧ）、貨幣処理装置１は、紙幣束の装填を不可とする制御を行う（Ｓ１１２）。例えば、帯封紙幣払出部４８の払出口に設けられたシャッターを開けないようにする。そして、警告を出力する（Ｓ１１３）。例えば図６（ｂ）のような警告メッセージを画面に表示する。そして、紙幣計数機２による紙幣束の計数のやり直しを指示する等の対応処理を行う（Ｓ１１４）。
【００５５】
図７（ａ），（ｂ）は装填処理の完了後に発行されるレシートの一例である。図７（ａ）に示すレシートＲＣ１は、Ｓ１１０で発行されたレシート、すなわち、紙幣計数機２から送信された照合信号がＯＫであり、かつ、貨幣処理装置１におけるチェックもＯＫであったときに発行されるレシートの例である。装填された紙幣束の紙幣枚数と紙幣計数機２による計数枚数とが一致している。一方、図７（ｂ）に示すレシートＲＣ２は、Ｓ１１６で紙幣束を強制入金したときのレシートである。装填された紙幣束の紙幣枚数と紙幣計数機２による計数枚数とが一致していないが、承認者によって承認されたことが印字されている。
【００５６】
なお、Ｓ１１３およびＳ１１５での警告出力は、具体的には、警告メッセージを画面に表示する以外に、例えば、警告音を発してもよい。また、貨幣処理装置１がネットワーク３を介して管理コンピュータ５に警告を通知し、管理コンピュータ５が、例えば管理責任者が有するタブレット６Ａやスマートフォン６Ｂ等に警告メッセージを送信する、というようにしてもよい。
【００５７】
以上のように本実施形態によると、紙幣束が装填される貨幣処理装置１は、紙幣束内の紙幣枚数を束状態のままで計数する紙幣計数機２と、共通のネットワーク３に接続されている。紙幣計数機２は、貨幣処理装置１に装填される予定の紙幣束の計数を指示する連携計数指示を受信し、計数処理を行い、計数結果に関する情報である計数情報を送信する機能を有している。そして貨幣処理装置１は、紙幣束の装填処理において、紙幣束を受け入れる前に、連携計数指示を送信し、計数情報を受信する。これにより、貨幣処理装置１は、紙幣類の受入を行う前に、紙幣計数機２による当該紙葉類束の計数結果を得ることができる。したがって、不適切な紙葉類束の受け入れを未然に防止できる。
【００５８】
なお、貨幣処理装置１と他の貨幣収納装置とを連携させ、紙幣束の金種および束数を確定させた後、貨幣処理装置１に装填するようにしてもよい。この場合は、紙幣計数機２による金種識別は不要になるので、紙幣計数機２として金種識別機能を有しない装置を利用することができる。
【００５９】
（第２実施形態）
＜全体構成＞
図８は第２実施形態に係る貨幣処理システムの全体構成を示す図である。図８の構成では、例えば金融機関に設置された貨幣収納装置（現金バス）４と、紙幣束を束のまま計数する紙幣計数機２とが、金融機関内のネットワーク３に接続されている。ネットワーク３には金融機関内の管理コンピュータ５が接続されており、この管理コンピュータ５が貨幣収納装置４や紙幣計数機２等による貨幣処理全般を管理している。管理コンピュータ５は、例えば管理責任者が有するタブレット６Ａやスマートフォン６Ｂ等の携帯端末と通信可能になっている。貨幣収納装置４は、本開示における紙葉類処理装置の一例である。
【００６０】
貨幣収納装置４はここでは、引き出し型の収納部４１ａ〜４１ｄを備える。収納部４１ａ〜４１ｄの一部または全部はロック機構が設けられており、貨幣収納装置４内の制御部（図示せず）がロック機構のロック／解除を制御する。また、収納部４１ａ〜４１ｄの一部または全部は、内容物の重量を測定する機構あるいは内容物の画像を取得する機構等が設けられており、この重量あるいは画像に基づいて内容物（の種類や重量）のチェックが行われる。収納部４１ａ〜４１ｄの一部には、帯封紙幣が収納される。
【００６１】
操作表示部４５は、貨幣収納装置４の筐体上部に設けられている。操作表示部４５は例えばタッチパネル等から構成されており、貨幣収納装置４における紙幣束等の収納状況等が表示される。また、操作者は操作表示部４５を介して、貨幣収納装置４に対して、紙幣束の収納や取り出し等の様々な操作を行うことができる。また、図示は省略するが、操作者のＩＤカードを読み取るためのカードリーダが設けられている。
【００６２】
本実施形態では、紙幣計数機２は、貨幣収納装置４に収納される予定の紙幣束の計数を指示する連携計数指示を、ネットワーク３を介して受信し、計数処理を行い、計数結果に関する情報である計数情報を、ネットワーク３に送信する機能を有している。そして、貨幣収納装置４は、紙幣束の収納処理において、紙幣束が収納される前に、連携計数指示をネットワーク３に送信し、ネットワーク３を介して、計数情報を受信する。紙幣束の収納処理は、本開示における紙葉類の受入処理の一例である。
【００６３】
＜収納処理＞
図９は図８の貨幣処理システムにおける貨幣収納装置４に紙幣束を収納する処理の流れを示すフローチャートである。
【００６４】
まず、操作者は、貨幣収納装置４にログインする（Ｓ３０１）。例えば、カードリーダによってＩＤカードを読み取らせてＩＤ認証を受ける。そして、操作者は、操作表示部４５を介して、貨幣収納装置４に対して行う操作を操作メニューの中から選択する（Ｓ３０２）。ここでは、操作者は、貨幣収納装置４に紙幣束を収納する操作である『束収納』を選択するものとする（Ｓ３０３でＹＥＳ）。なお、他の操作を選択した場合は（Ｓ３０３でＮＯ）、それぞれの処理が実行される（Ｓ３１１）。
【００６５】
『束収納』を選択した操作者は、次に、収納情報を入力する（Ｓ３０４）。ここでは、収納情報は、収納予定の紙幣束に関する情報である束情報を含むものとする。束情報とは例えば、紙幣束の金種や束数等である。その後、貨幣収納装置４は、収納される予定の紙幣束の計数を紙幣計数機２に対して指示する『連携計数指示』をネットワーク３に送信する（Ｓ３０５）。ここでは、『連携計数指示』とともに、操作者によって入力された収納情報が送信される。
【００６６】
紙幣計数機２は、第１実施形態の図４と同様に動作する。すなわち、ネットワーク３から『連携計数指示』を受信すると（Ｓ２０２でＹＥＳ）、計数処理を開始する（Ｓ２０３）。操作者は、収納予定の紙幣束を紙幣計数機２にセットし、紙幣計数機２に計数を実行させる（Ｓ２０３）。紙幣計数機２は計数結果を得て、これを基にして、計数結果が所定条件を満たすか否かを示す照合信号を生成する（Ｓ２０４）。具体的には例えば、紙幣計数機２は、紙幣束の紙幣枚数が一束当たりの規定枚数（例えば１００枚）の整数倍であるか否かをチェックする。あるいは、計数結果が、送信された束情報と一致するか否かをチェックする。例えば、計数した束数が送信された束数と一致するか否か、検出した金種が送信された金種と一致するか否か、等をチェックする。そして、これらの結果から、問題がなければ照合信号としてＯＫを設定し、問題があれば照合信号としてＮＧを設定する。そして、紙幣計数機２は、計数を行った旨、計数結果を示すデータ、および照合信号を含む『計数情報』をネットワーク３に送信する（Ｓ２０５）。
【００６７】
図９に戻り、貨幣収納装置４は、『計数情報』をネットワーク３から受信する（Ｓ３０６）。そして、『計数情報』に含まれた照合信号がＯＫであるときは（Ｓ３０７でＯＫ）、貨幣収納装置４は、紙幣束を収納する収納部（例えば収納部４１ａ）のロックを解除する（Ｓ３０８）。そして、操作者は紙幣束を収納部４１ａに収納する（Ｓ３０９）。貨幣収納装置４は、収納部４１ａの内容物の重量あるいは画像から、紙幣束の収納が正しく行われたか否かをチェックする（Ｓ３１０）。そして、正しく行われていれば（Ｓ３１０でＹＥＳ）処理を終了する。一方、正しく行われていないときは（Ｓ３１０でＮＯ）、警告を出力する（Ｓ３１５）。そして、収納のやり直し等の対応処理を行う（Ｓ３１６）。一方、『計数情報』に含まれた照合信号がＮＧであるときは（Ｓ３０７でＮＧ）、貨幣収納装置４は、紙幣束を収納する収納部４１ａのロックを解除せず（Ｓ３１２）、警告を出力する（Ｓ３１３）。そして、収納のやり直し等の対応処理を行う（Ｓ３１４）。
【００６８】
なお、Ｓ３１３およびＳ３１５での警告出力は、具体的には、例えば操作表示部４５に警告メッセージを表示したり、あるいは、警告音を発したりすればよい。また、貨幣収納装置４がネットワーク３を介して管理コンピュータ５に警告を通知し、管理コンピュータ５が、例えば管理責任者が有するタブレット６Ａやスマートフォン６Ｂ等に警告メッセージを送信する、というようにしてもよい。
【００６９】
＜取り出し処理＞
図１０は図８の貨幣処理システムにおける貨幣収納装置４から紙幣束を取り出す処理の流れを示すフローチャートである。
【００７０】
まず、操作者は、貨幣収納装置４にログインする（Ｓ４０１）。例えば、カードリーダによってＩＤカードを読み取らせてＩＤ認証を受ける。そして、操作者は、操作表示部４５を介して、貨幣収納装置４に対して行う操作を操作メニューの中から選択する（Ｓ４０２）。ここでは、操作者は、貨幣収納装置４から紙幣束を取り出す操作である『束取出』を選択するものとする（Ｓ４０３でＹＥＳ）。なお、他の操作を選択した場合は（Ｓ４０３でＮＯ）、それぞれの処理が実行される（Ｓ４１１）。
【００７１】
『束取出』を選択した操作者は、次に、取出情報を入力する（Ｓ４０４）。ここでは、取出情報は、取り出し予定の紙幣束に関する束情報を含むものとする。束情報とは、紙幣束の金種や束数等である。貨幣収納装置４は、紙幣束を取り出す収納部（例えば収納部４１ａ）のロックを解除する（Ｓ４０５）。そして、操作者は収納部４１ａから紙幣束を取り出す（Ｓ４０６）。貨幣収納装置４は、収納部４１ａの内容物の重量の変化あるいは画像の変化から、紙幣束の取り出しが正しく行われたか否かをチェックする（Ｓ４０７）。そして、正しく行われていれば（Ｓ４０７でＹＥＳ）、貨幣収納装置４は、取り出された紙幣束の計数を紙幣計数機２に対して指示する『連携計数指示』をネットワーク３に送信する（Ｓ４０８）。ここでは、『連携計数指示』とともに、操作者によって入力された取出情報が送信される。一方、正しく行われていないときは（Ｓ４０７でＮＯ）、警告を出力する（Ｓ４１２）。そして、取り出しのやり直し等の対応処理を行う（Ｓ４１３）。
【００７２】
紙幣計数機２は、第１実施形態の図４と同様に動作する。すなわち、ネットワーク３から『連携計数指示』を受信すると（Ｓ２０２でＹＥＳ）、計数処理を開始する。操作者は、貨幣収納装置４から取り出した紙幣束を紙幣計数機２にセットし、紙幣計数機２に計数を実行させる（Ｓ２０３）。紙幣計数機２は計数結果を得て、これを基にして、計数結果が所定条件を満たすか否かを示す照合信号を生成する（Ｓ２０４）。具体的には例えば、紙幣計数機２は、紙幣束の紙幣枚数が一束当たりの規定枚数（例えば１００枚）の整数倍であるか否かをチェックする。あるいは、計数結果が、送信された束情報と一致するか否かをチェックする。例えば、計数した束数が送信された束数と一致するか否か、検出した金種が送信された金種と一致するか否か、等をチェックする。そして、これらの結果から、問題がなければ照合信号としてＯＫを設定し、問題があれば照合信号としてＮＧを設定する。そして、紙幣計数機２は、計数を行った旨、計数結果を示すデータ、および照合信号を含む『計数情報』をネットワーク３に送信する（Ｓ２０５）。
【００７３】
図１０に戻り、貨幣収納装置４は、『計数情報』をネットワーク３から受信する（Ｓ４０９）。そして、『計数情報』に含まれた照合信号がＯＫであるときは（Ｓ４１０でＯＫ）、処理を終了する。一方、『計数情報』に含まれた照合信号がＮＧであるときは（Ｓ４１０でＮＧ）、貨幣収納装置４は、警告を出力する（Ｓ４１４）。そして、取り出しのやり直し等の対応処理を行う（Ｓ４１５）。
【００７４】
なお、Ｓ４１２およびＳ４１４での警告出力は、具体的には、例えば操作表示部４５に警告メッセージを表示したり、あるいは、警告音を発したりすればよい。また、貨幣収納装置４がネットワーク３を介して管理コンピュータ５に警告を通知し、管理コンピュータ５が、例えば管理責任者が有するタブレット６Ａやスマートフォン６Ｂ等に警告メッセージを送信する、というようにしてもよい。
【００７５】
また、取り出し処理では、貨幣収納装置４から束紙幣が取り出された後に、所定時間以内に紙幣計数機２による計数処理が行われなかった場合に、貨幣収納装置４等が警告を出力するようにしてもよい。また、例えば、セキュリティの厳正化のために、１つの束紙幣を例えば２回ずつ計数することを義務づけてもよい。２回ずつ計数されなかった場合は、貨幣収納装置４等が警告を出力するようにしてもよい。
【００７６】
以上のように本実施形態によると、紙幣束を収納する貨幣収納装置４は、紙幣束内の紙幣枚数を束状態のままで計数する紙幣計数機２と、共通のネットワーク３に接続されている。紙幣計数機２は、貨幣収納装置４に収納される予定の紙幣束の計数を指示する連携計数指示を受信し、計数処理を行い、計数結果に関する情報である計数情報を送信する機能を有している。そして貨幣収納装置４は、紙幣束の収納処理において、紙幣束を受け入れる前に、連携計数指示を送信し、計数情報を受信する。これにより、貨幣収納装置４は、紙幣類の受入を行う前に、紙幣計数機２による当該紙葉類束の計数結果を得ることができる。したがって、不適切な紙葉類束の受け入れを未然に防止できる。
【００７７】
（変形例）
＜その１＞
上述の実施形態では、貨幣処理装置１や貨幣収納装置４は、『連携計数指示』とともに金種や束数等の紙幣束に関する束情報を送信するものとし、紙幣計数機２は、計数を行った旨、計数結果を示すデータ、および、計数結果が所定条件を満たすか否かを示す照合信号を含む『計数情報』を送信するものとした。ただし、本開示はこのような形態に限られるものではない。すなわち、貨幣処理装置１や貨幣収納装置４は、連携計数指示のみを送信するものとしてもよい。また、紙幣計数機２が送信する計数情報は、計数を行った旨、計数結果を示すデータ、および、計数結果が所定条件を満たすか否かを示す照合信号、のうち少なくともいずれか１つを含んでいればよい。
【００７８】
例えば、貨幣処理装置１や貨幣収納装置４は、連携計数指示のみを送信し、連携計数指示を受信した紙幣計数機２は、計数を行った旨のみを計数情報として送信するようにしてもよい。そして貨幣処理装置１や貨幣収納装置４は、計数を行った旨を受信したことを条件として、紙幣束の装填や収納を行う、としてもよい。あるいは、貨幣処理装置１や貨幣収納装置４は、連携計数指示のみを送信し、連携計数指示を受信した紙幣計数機２は、紙幣束の紙幣枚数が一束当たりの規定枚数の整数倍であるか否かのチェックのみを行い、その結果を示す照合信号のみを計数情報として送信するようにしてもよい。そして貨幣処理装置１や貨幣収納装置４は、照合信号がＯＫであることを条件として、紙幣束の装填や収納を行う、としてもよい。これらの形態は、例えば、紙幣計数機２が金種識別機能を有しない場合や、ネットワーク３の通信機能が低く、送信できるデータ量が限られている場合等に有効である。
【００７９】
また、連携計数指示を受信した紙幣計数機２は、計数結果を示すデータのみを計数情報として送信するようにし、貨幣処理装置１や貨幣収納装置４側で、紙幣束の金種や束数のチェックを行うようにしてもよい。また、管理コンピュータ５等の他の装置が、ネットワーク３を介して、紙幣計数機２から計数結果を示すデータを受信するとともに、貨幣処理装置１や貨幣収納装置４から紙幣束の金種や束数の情報を受信して、チェックを行うようにしてもよい。
【００８０】
＜その２＞
紙幣計数機２は、連携計数指示を受信して計数処理を行ったとき、ログ情報を保存するようにしてもよい。ログ情報には例えば、貨幣処理装置１や貨幣収納装置４等によって行われた処理名、処理が行われた日時、操作者ＩＤ、処理された束数、計数結果、照合信号（ＯＫ／ＮＧ）等を含めればよい。
【００８１】
また、紙幣計数機２は、このログ情報を管理コンピュータ５に送信し、管理コンピュータ５がログ情報を管理するようにしてもよい。あるいは、紙幣計数機２または管理コンピュータ５が、ログ情報を、処理が行われた貨幣処理装置１や貨幣収納装置４等に送信してもよい。
【００８２】
＜その３＞
紙幣計数機２は、連携計数指示を受信して計数処理を行うときは、紙幣束を１束ずつしか計数できないように構成されていてもよい。これにより例えば、紙幣束を抜き取り、同じ紙幣束を複数回計数してから装填したり収納したりする不正行為を防ぐことができる。
【００８３】
＜その４＞
上述の実施形態では、貨幣処理装置１や貨幣収納装置４から『連携計数指示』を送信し、紙幣計数機２は『連携計数指示』を受信して計数処理を行い、計数情報を送信するものとした。ただし、貨幣処理装置１や貨幣収納装置４から、『連携計数指示』を送信することは必須ではない。すなわち、貨幣処理装置１や貨幣収納装置４は、紙幣束の装填処理や収納処理において、紙幣計数機２による、受入予定の紙幣束の計数情報を受信すればよい。これにより、貨幣処理装置１や貨幣収納装置４は、紙幣束の装填や収納を行う際に、紙幣計数機２による当該紙幣束の計数結果を得ることができる。したがって、不適切な紙幣束の受入を未然に防止できる。
【００８４】
例えば、第１実施形態における装填処理は、次のように行ってもよい。まず、操作者は、紙幣計数機２を操作して『連携計数』を選択する。このとき、連携先（ここでは貨幣処理装置１）を指定できるようにしておいてもよい。そして操作者は、紙幣計数機２に、貨幣処理装置１に装填する予定の紙幣束をセットし、計数処理を実行させる。紙幣計数機２は計数処理を実行し、金種毎の束数を計数結果として得る。また紙幣計数機２は、紙幣束の紙幣枚数が一束当たりの規定枚数（例えば１００枚）の整数倍であるか否かをチェックし、照合信号を生成する。そして紙幣計数機２は、金種毎の束数および照合信号を含む計数情報をネットワーク３に送信する。なお、紙幣計数機２は、照合信号がＮＧのとき、警告を発し、計数情報の送信を行わないようにしてもよい。
【００８５】
その後、操作者は、貨幣処理装置１にログインし、『束のまま装填』を選択する。貨幣処理装置１は、紙幣計数機２から送信された計数情報を受信している場合は、その後、上述した第１実施形態における装填処理と同様に動作する。一方、紙幣計数機２から送信された計数情報を受信していない場合は、貨幣処理装置１は、装填不可制御を行う。
【００８６】
（他の実施形態）
＜その１＞
上述の実施形態では、貨幣処理装置１や貨幣収納装置４が、紙幣計数機２とネットワーク３を介して接続された貨幣処理システムを例にとって説明を行った。ただし、紙幣束を受け入れる処理装置と紙幣計数機とを一体化した構成としてもかまわない。
【００８７】
図１１は紙幣計数機が一体化された貨幣収納装置４Ａの外観例である。図１１の構成において、計数部２３は、上述した紙幣計数機２と同様に、紙幣束内の紙幣枚数を束状態のままで計数する機能を有する。この貨幣収納装置４Ａでは、図示しない制御部が、紙幣束が収納される前に、計数部２３に対して、収納される予定の紙幣束の計数を指示する計数指示を送信する。計数指示を受信した計数部２３が紙幣束の計数を行い、計数結果に関する情報である計数情報を制御部に送信し、制御部がこの計数情報を受信する。そして制御部は、例えば、計数情報を受信したことを条件として、紙幣束の収納を可能とすればよい。なお、制御部から計数部２３に対して、計数指示を送信することは必須ではない。
【００８８】
＜その２＞
１台の紙幣計数機に対して、紙幣束を受け入れる処理装置が複数台、接続された構成としてもよい。例えば、図１２に示す貨幣処理システムでは、紙幣計数機２に対して、紙幣束を受け入れる複数の処理装置として、貨幣処理装置１Ａ，１Ｂおよび貨幣収納装置４がネットワーク３を介して接続されている。このような構成では、各処理装置は、送信する『連携計数指示』に自己を特定するためのデータ、例えばＩＤ情報等を付加するようにすればよい。例えば、貨幣処理装置１ＡのＩＤは「Ａ０１」、貨幣処理装置１ＢのＩＤは「Ａ０２」、貨幣収納装置４のＩＤは「Ｂ０１」とする。紙幣計数機２は、このＩＤ情報に基づいて、計数情報の送信先を特定すればよい。
【００８９】
また、図１２に示すような構成において、貨幣処理装置１Ａ，１Ｂと貨幣収納装置４とが連携するようにしてもよい。例えば、貨幣収納装置４から紙幣束を取り出して、その紙幣束を貨幣処理装置１Ａに装填する処理において、貨幣収納装置４から取り出した紙幣束を紙幣計数機２で計数した場合は、その紙幣束を貨幣処理装置１Ａに装填するとき、紙幣計数機２による計数を省くようにしてもよい。
【００９０】
なお、上述の各実施形態では、紙幣束を処理するものとしたが、本開示はこれに限られるものではない。例えば、商品券、小切手、宝くじ等の紙幣とは異なる紙葉類の束を処理する構成であって、本開示は適用可能である。
【符号の説明】
【００９１】
１，１Ａ，１Ｂ  貨幣処理装置（紙葉類処理装置）
２  紙幣計数機（計数装置）
３  ネットワーク
４  貨幣収納装置（紙葉類処理装置）
４Ａ  貨幣収納装置（紙葉類処理装置）
２３  計数部
３００  制御部
３０６  通信インターフェース部
【図１】
2018085025.tif 000003
【図２】
2018085025.tif 000004
【図３】
2018085025.tif 000005
【図４】
2018085025.tif 000006
【図５】
2018085025.tif 000007
【図６】
2018085025.tif 000008
【図７】
2018085025.tif 000009
【図８】
2018085025.tif 000010
【図９】
2018085025.tif 000011
【図１０】
2018085025.tif 000012
【図１１】
2018085025.tif 000013
【図１２】
2018085025.tif 000014